(57)【要約】【課題】従来のＩＣタグ等の識別標識を用いる方法においては、物品保管箱の収容区画毎に識別標識の認識装置を取り付けなければならず、経費が嵩んで設備コストが上昇することが避けられず、複写により偽造されたものが使用される虞もある。【解決手段】保管箱１０に、物品Ｓの取り出し或いは戻し入れを所定条件のもと制限する出し入れ制限部１１が備えられ、物品Ｓが保管箱１０に存在するのを検知し、物品Ｓの保管箱１０からの取り出し毎或いは保管箱１０への戻し入れ毎に偽造防止付き二次元コードシートＣが読み取られ、且つ、撮影され、物品Ｓの取り出し或いは戻し入れを行う取扱者Ｏの生体情報が読み取られ、取扱者Ｏが正当取扱者であることを確認する生体認証が行われ、保管箱１０と物品ＩＤ認識部１２の間での物品Ｓの移動状況が動画像として撮影される。【選択図】図１
2011098831.tif 000002
【特許請求の範囲】
【請求項１】
予め登録された、偽造防止付き識別標識が付与されて保管手段に収容保管された管理対象物についての登録情報データベースと、前記保管手段からの前記管理対象物の出し入れ状況を管理記録する機能を制御するプログラムを格納するプログラム格納部と、メインメモリとＣＰＵからなる演算処理部とを備えた、前記保管手段を管理するコンピュータシステムによって実行される、管理対象物出し入れ管理方法であって、
前記保管手段に備えられた出し入れ制限手段により、前記保管手段に対し前記管理対象物の取り出し或いは戻し入れを所定条件のもと制限する処理と、
検知手段により、前記管理対象物が前記保管手段に存在するのを検知する処理と、
認識手段により、前記管理対象物の前記保管手段からの取り出し或いは前記保管手段への戻し入れ毎に前記偽造防止付き識別標識を読み取り、且つ、撮影する処理と、
生体認証手段により、前記管理対象物の取り出し或いは戻し入れを行う取扱者の生体情報を読み取り、前記取扱者が正当取扱者であることを確認する生体認証を行う処理と、
撮影手段により、前記保管手段と前記認識手段の間での前記管理対象物の移動状況を動画像として撮影する処理と
を有することを特徴とする管理対象物出し入れ管理方法。
【請求項２】
前記偽造防止付き識別標識は、識別標識と、光学的な複写による複製が困難な偽造識別シートとより形成されていることを特徴とする請求項１に記載の管理対象物出し入れ管理方法。
【請求項３】
前記識別標識は、二次元コードが記録された二次元コードシートであることを特徴とする請求項２に記載の管理対象物出し入れ管理方法。
【請求項４】
前記偽造識別シートは、ホログラムシートであり、前記認識手段による撮影は、ホログラムの特徴が目視により確認することができるように光線条件を異ならせた状態で複数回行われることを特徴とする請求項２または３に記載の管理対象物出し入れ管理方法。
【請求項５】
予め登録された、偽造防止付き識別標識が付与されて保管手段に収容保管された管理対象物についての登録情報データベースと、前記保管手段からの前記管理対象物の出し入れ状況を管理記録する機能を制御するプログラムを格納するプログラム格納部と、メインメモリとＣＰＵからなる演算処理部とを備えた、前記保管手段を管理するコンピュータシステムによって実行される、管理対象物出し入れ管理システムであって、
前記保管手段に備えられ、前記保管手段に対し前記管理対象物の取り出し或いは戻し入れを所定条件のもと制限する出し入れ制限手段と、
前記管理対象物が前記保管手段に存在するのを検知する検知手段と、
前記管理対象物の前記保管手段からの取り出し毎或いは前記保管手段への戻し入れ毎に前記偽造防止付き識別標識を読み取り、且つ、撮影する認識手段と、
前記管理対象物の取り出し或いは戻し入れを行う取扱者の生体情報を読み取り、前記取扱者が正当取扱者であることを確認する生体認証を行う生体認証手段と、
前記保管手段と前記認識手段の間での前記管理対象物の移動状況を動画像として撮影する撮影手段と
を有することを特徴とする管理対象物出し入れ管理システム。
【請求項６】
前記偽造防止付き識別標識は、識別標識と、光学的な複写による複製が困難な偽造識別シートとにより形成されていることを特徴とする請求項５に記載の管理対象物出し入れ管理システム。
【請求項７】
前記識別標識は、二次元コードが記録された二次元コードシートであることを特徴とする請求項６に記載の管理対象物出し入れ管理システム。
【請求項８】
前記偽造識別シートは、ホログラムシートであり、前記認識手段は、ホログラムの特徴が目視により確認することができるように光線条件を異ならせた状態で複数回撮影を行うことを特徴とする請求項６または７に記載の管理対象物出し入れ管理システム。
【請求項９】
前記管理対象物は、前記コンピュータシステムとオンライン接続された業務システムで使用される磁気記録媒体であり、前記業務システムからの使用情報に基づき前記磁気記録媒体の使用状況を記録する記録手段を備えたことを特徴とする請求項５から８のいずれか一項に記載の管理対象物出し入れ管理システム。
【請求項１０】
携帯電話端末との通信機能を有し、前記偽造防止付き識別標識を前記携帯電話端末で撮影した画像或いは前記携帯電話端末で読み取った前記偽造防止付き識別標識の識別情報、及び前記携帯電話端末が有するＧＰＳ（Ｇｌｏｂａｌ  Ｐｏｓｉｔｉｏｎｉｎｇ  Ｓｙｓｔｅｍ）情報を受信する通信手段を備えたことを特徴とする請求項５から８のいずれか一項に記載の管理対象物出し入れ管理システム。
【発明の詳細な説明】
【技術分野】
【０００１】
この発明は、物品出し入れ管理方法及びシステムに関し、特に、識別標識が付与されて物品保管箱に収容保管された複数の管理対象物の、物品保管箱からの取り出し或いは物品保管箱への戻し入れを行う際に、管理対象物の取扱者情報及び出し入れ状況を管理する物品出し入れ管理方法及びシステムに関する。
【背景技術】
【０００２】
従来、業務用の磁気媒体のような共同で使用する物品を物品保管箱で管理する場合、物品の物品保管箱からの取り出しや物品保管箱への戻し入れが行われたときに、その出し入れを行った取扱者、出し入れ対象物品番号、出し入れ作業時刻等を、同時に記録する管理方法が知られている。
物品保管箱からの取り出しや物品保管箱への戻し入れを行った取扱者、出し入れ対象物品番号、出し入れ作業時刻等を、同時に記録することにより、当該物品の盗難や不正使用等に対する取り扱い責任を明確にすることができる。
【０００３】
このような、物品保管箱に対する物品の取り出しや戻し入れ作業における管理を可能にするために、例えば、管理対象となる物品にＩＣタグ等の識別標識を取り付けると共に物品保管箱に識別標識の認識装置を設置することにより、物品の出し入れ記録を自動的に行ったり、或いは物品の取り出しや戻し入れ作業の際の物品取扱者の個人認証を生体認証やＩＤカードで行い、取扱者データとして物品の出し入れと対応付けて記録したりしている。
【０００４】
物品の管理にＩＣタグを利用したものとして、例えば、非接触ＩＣタグが添付された物品と、非接触ＩＣタグリーダと、利用者のＩＣカードと、ＩＣカードリーダと、非接触ＩＣタグリーダ及びＩＣカードリーダと通信可能に接続された管理用サーバと、ネットワークにより管理用サーバと通信可能に接続されたコンピュータシステムとを有する、「物品管理システム」（特許文献１参照）が知られている。
【先行技術文献】
【特許文献】
【０００５】
【特許文献１】２００７−４５５９２号公報
【発明の概要】
【発明が解決しようとする課題】
【０００６】
しかしながら、従来のＩＣタグ等の識別標識を用いる方法においては、物品保管箱の収容区画毎に識別標識の認識装置を取り付けなければならず、経費が嵩んで設備コストが上昇することが避けられない。これは、識別標識としてＩＣタグと同様の機能を持つ二次元コードにおいても、同様であり、二次元コードの場合、複写により偽造されたものが使用される虞もある。
この発明の目的は、物品出し入れ管理を行う際に、設備コストの上昇を抑えると共に、偽造された認識装置を使用した物品の出し入れを防止することができる物品出し入れ管理方法及びシステムを提供することである。
【課題を解決するための手段】
【０００７】
上記目的を達成するため、この発明に係る物品出し入れ管理方法は、予め登録された、偽造防止付き識別標識が付与されて保管手段に収容保管された管理対象物についての登録情報データベースと、前記保管手段からの前記管理対象物の出し入れ状況を管理記録する機能を制御するプログラムを格納するプログラム格納部と、メインメモリとＣＰＵからなる演算処理部とを備えた、前記保管手段を管理するコンピュータシステムによって実行される、管理対象物出し入れ管理方法であって、前記保管手段に備えられた出し入れ制限手段により、前記保管手段に対し前記管理対象物の取り出し或いは戻し入れを所定条件のもと制限する処理と、検知手段により、前記管理対象物が前記保管手段に存在するのを検知する処理と、認識手段により、前記管理対象物の前記保管手段からの取り出し或いは前記保管手段への戻し入れ毎に前記偽造防止付き識別標識を読み取り、且つ、撮影する処理と、生体認証手段により、前記管理対象物の取り出し或いは戻し入れを行う取扱者の生体情報を読み取り、前記取扱者が正当取扱者であることを確認する生体認証を行う処理と、撮影手段により、前記保管手段と前記認識手段の間での前記管理対象物の移動状況を動画像として撮影する処理とを有することを特徴としている。
【０００８】
また、この発明の他の態様に係る物品出し入れ管理方法は、前記偽造防止付き識別標識が、識別標識と、光学的な複写による複製が困難な偽造識別シートとにより形成されていることを特徴としている。
また、この発明の他の態様に係る物品出し入れ管理方法は、前記識別標識が、二次元コードが記録された二次元コードシートであることを特徴としている。
また、この発明の他の態様に係る物品出し入れ管理方法は、前記偽造識別シートが、ホログラムシートであり、前記認識手段による撮影は、ホログラムの特徴が目視により確認することができるように光線条件を異ならせた状態で複数回行われることを特徴としている。
【０００９】
上記目的を達成するため、この発明に係る物品出し入れ管理システムは、予め登録された、偽造防止付き識別標識が付与されて保管手段に収容保管された管理対象物についての登録情報データベースと、前記保管手段からの前記管理対象物の出し入れ状況を管理記録する機能を制御するプログラムを格納するプログラム格納部と、メインメモリとＣＰＵからなる演算処理部とを備えた、前記保管手段を管理するコンピュータシステムによって実行される、管理対象物出し入れ管理システムであって、前記保管手段に備えられ、前記保管手段に対し前記管理対象物の取り出し或いは戻し入れを所定条件のもと制限する出し入れ制限手段と、前記管理対象物が前記保管手段に存在するのを検知する検知手段と、前記管理対象物の前記保管手段からの取り出し毎或いは前記保管手段への戻し入れ毎に前記偽造防止付き識別標識を読み取り、且つ、撮影する認識手段と、前記管理対象物の取り出し或いは戻し入れを行う取扱者の生体情報を読み取り、前記取扱者が正当取扱者であることを確認する生体認証を行う生体認証手段と、前記保管手段と前記認識手段の間での前記管理対象物の移動状況を動画像として撮影する撮影手段とを有することを特徴としている。
【００１０】
また、この発明の他の態様に係る物品出し入れ管理システムは、前記偽造防止付き識別標識が、識別標識と、光学的な複写による複製が困難な偽造識別シートとにより形成されていることを特徴としている。
また、この発明の他の態様に係る物品出し入れ管理システムは、前記識別標識が、二次元コードが記録された二次元コードシートであることを特徴としている。
また、この発明の他の態様に係る物品出し入れ管理システムは、前記偽造識別シートが、ホログラムシートであり、前記認識手段が、ホログラムの特徴が目視により確認することができるように光線条件を異ならせた状態で複数回撮影を行うことを特徴としている。
【００１１】
また、この発明の他の態様に係る物品出し入れ管理システムは、前記管理対象物が、前記コンピュータシステムとオンライン接続された業務システムで使用される磁気記録媒体であり、前記業務システムからの使用情報に基づき前記磁気記録媒体の使用状況を記録する記録手段を備えたことを特徴としている。
また、この発明の他の態様に係る物品出し入れ管理システムは、携帯電話端末との通信機能を有し、前記偽造防止付き識別標識を前記携帯電話端末で撮影した画像或いは前記携帯電話端末で読み取った前記偽造防止付き識別標識の識別情報、及び前記携帯電話端末が有するＧＰＳ（Ｇｌｏｂａｌ  Ｐｏｓｉｔｉｏｎｉｎｇ  Ｓｙｓｔｅｍ）情報を受信する通信手段を備えたことを特徴としている。
【発明の効果】
【００１２】
この発明によれば、保管手段に、管理対象物の取り出し或いは戻し入れを所定条件のもと制限する出し入れ制限手段が備えられ、管理対象物が保管手段に存在するのを検知し、管理対象物の保管手段からの取り出し毎或いは保管手段への戻し入れ毎に偽造防止付き識別標識が読み取られ、且つ、撮影され、管理対象物の取り出し或いは戻し入れを行う取扱者の生体情報が読み取られ、取扱者が正当取扱者であることを確認する生体認証が行われ、保管手段と認識手段の間での管理対象物の移動状況が動画像として撮影されるので、動画像から管理対象物のすり替えを監視することができ、物品出し入れ管理を行う際に、設備コストの上昇を抑えると共に、偽造された認識標識を使用した物品の出し入れを防止することができる。
また、この発明に係る物品出し入れ管理システムにより、上記物品出し入れ管理方法を実現することができる。
【図面の簡単な説明】
【００１３】
【図１】この発明の一実施の形態に係る物品出し入れ管理システムの構成を概略的に示す説明図である。
【図２】図１の物品出し入れ管理装置の構成をブロックで示す説明図である。
【図３】偽造防止付き二次元コードシートの一例を示す説明図である。
【図４】この発明に係る物品出し入れ管理方法による物品取り出し時における処理手順を示す説明図（その１）である。
【図５】この発明に係る物品出し入れ管理方法による物品取り出し時における処理手順を示す説明図（その２）である。
【図６】この発明に係る物品出し入れ管理方法による物品戻し入れ時における処理手順を示す説明図（その１）である。
【図７】この発明に係る物品出し入れ管理方法による物品戻し入れ時における処理手順を示す説明図（その２）である。
【発明を実施するための形態】
【００１４】
以下、この発明を実施するための形態について図面を参照して説明する。
図１は、この発明の一実施の形態に係る物品出し入れ管理システムの構成を概略的に示す説明図であり、図２は、図１の物品出し入れ管理装置の構成をブロックで示す説明図である。図３は、偽造防止付き二次元コードシートの一例を示す説明図である。
【００１５】
図１に示すように、物品出し入れ管理システムは、偽造防止付き二次元コードシート（偽造防止付き識別標識）Ｃが付与されて、物品出し入れ管理システムによる管理対象となる物品（管理対象物）Ｓを収容保管する保管箱（保管手段）１０、保管箱１０に取り付けられた物品出し入れ制限部（出し入れ制限手段）１１、保管箱１０と一体的に或いは保管箱１０の近傍に配置された、物品ＩＤ（ＩＤｅｎｔｉｆｉｃａｔｉｏｎ）認識部（認識手段）１２、取扱者生体認証部（生体認証手段）１３、動画像撮影カメラ（撮影手段）１４、及び物品出し入れ管理装置１５を有している。
保管箱１０、物品出し入れ制限部１１、物品ＩＤ認識部１２、取扱者生体認証部１３、及び動画像撮影カメラ１４は、物品出し入れ管理装置１５に接続されている。
【００１６】
図２に示すように、物品出し入れ管理装置１５は、予め登録された、保管箱１０に収容保管された物品Ｓについての登録情報データベース１５ａと、保管箱１０からの物品Ｓの出し入れ状況を管理記録する機能を制御するプログラムを格納するプログラム格納部１５ｂと、メインメモリ及びＣＰＵ（Ｃｅｎｔｒａｌ  Ｐｒｏｃｅｓｓｉｎｇ  Ｕｎｉｔ）からなる演算処理部１５ｃとを備えたコンピュータシステムにより構成されており、このコンピュータシステムの実行によって、保管箱１０に収容保管された物品Ｓの出し入れ状況を管理する物品出し入れ管理装置１５として機能する。
【００１７】
図３に示すように、偽造防止付き二次元コードシートＣは、識別標識である二次元コードが記録された二次元コードシートＣ１と、光学的な複写による複製が困難な偽造識別シートであるホログラムシートＣ２が、中央部に配置された二次元コードシートＣ１の周囲をホログラムシートＣ２が取り囲むように、重ね合わせて一体化された状態に形成されて、物品Ｓに付されている。なお、二次元コードシートＣ１とホログラムシートＣ２が、隣接して或いは一部重ね合わせて一体化された状態で物品Ｓに付されていても良い。
二次元コードは、水平と垂直方向、即ち、二次元方向に情報を持つコードであり、ホログラムシートは、例えば、反射された光が虹のように様々な色の縞模様になるレインボーホログラムのように、光学的な複写による複製が困難なホログラムが記録されたホログラムシートである。
【００１８】
なお、磁気テープの記録内容に電磁的な悪影響が無い場合は、識別標識として、二次元コードシートに代えて、ＩＤ情報を埋め込んだタグから近距離の無線通信によって情報をやり取りすることができるＲＦＩＤ（Ｒａｄｉｏ  Ｆｒｅｑｕｅｎｃｙ  ＩＤｅｎｔｉｆｉｃａｔｉｏｎ）である、ＩＣタグを用いても良い。
図１に示すように、保管箱１０は、物品Ｓを個別に収容するための複数の収容区画１０ａを有しており、各収容区画１０ａには、所定の手続に基づく物品Ｓの保管箱１０からの取り出し或いは保管箱１０への戻し入れを行うとき以外は、物品Ｓの保管箱１０からの出し入れを制限する物品出し入れ制限部１１と共に、物品Ｓが収容区画１０ａに存在するのを検知する物品保管検知部（図示しない）が設置されている。
【００１９】
物品出し入れ制限部１１は、電気的手段或いは物理的手段により物品Ｓを保管箱１０に対し自由に出し入れできないようにしており、例えば、収容区画１０ａの取り出し開口を横切る棒部材１１ａ（図１参照）や取り出し開口の一部を塞ぐ板部材１１ｂ（図１参照）をアクチュエータにより動作させて開口の開閉を行い、ロック状態で収容区画１０ａに対する物品Ｓの取り出し或いは戻し入れが不可能な出し入れ制限状態にする。
物品保管検知部は、例えば、マイクロスイッチ或いは光センサ等の検知手段を備えており、この検知手段により収容区画１０ａ毎に物品Ｓが収容区画１０ａに存在していることを検知する。
【００２０】
物品ＩＤ認識部１２は、ホログラム確認用の照明装置（図示しない）と共に撮影カメラ（図示しない）を備えており、物品Ｓの保管箱１０からの取り出し毎或いは保管箱１０への戻し入れ毎に、物品Ｓに付与された偽造防止付き二次元コードシートＣをかざす（図１参照）ことにより、偽造防止付き二次元コードシートＣを読み取って二次元コードの二次元コード情報から物品ＳのＩＤを認識すると、偽造防止付き二次元コードシートＣのホログラムシートを撮影する。
【００２１】
ホログラムシートの撮影に際しては、ホログラムの特徴が目視により確認することができるように、例えば、ライトの点滅により光線条件を変化させて光線条件を異ならせた状態で複数回、例えば二度撮影を行い、それぞれの撮影画像からホログラム機能を確認する。つまり、光線条件が変化しても反射がホログラムのように変化しないものは複写であると判断することができる。これら読み取り情報及び撮影情報は、物品出し入れ管理部１５へ出力され、物品出し入れ管理部１５で保存される。
【００２２】
取扱者生体認証部１３は、物品Ｓの保管箱１０からの取り出し或いは保管箱１０への戻し入れを行う取扱者Ｏが物品Ｓの出し入れ時にかざす指（図１参照）から、指紋や静脈等の生体情報を読み取り、読み取った生体情報に基づき取扱者Ｏが正当取扱者であることを確認する生体認証を行って、正当性の承認或いは不承認の認証結果情報を物品出し入れ管理部１５へ出力する。
動画像撮影カメラ１４は、保管箱１０と物品ＩＤ認識部１２の間での物品Ｓの移動状況を動画像として撮影することにより、取扱者Ｏが行う一連の物品Ｓの取り扱い状況を録画記録し、録画記録情報を物品出し入れ管理部１５へ出力する。これにより、物品Ｓの不正取り替えを防止する。
【００２３】
物品出し入れ管理部１５は、入力した各種情報に基づき接続された各部に対する作動の制御及び出力情報の収集を行い、保管箱１０における物品Ｓの出し入れ状況を管理すると共に物品出し入れ制限部１１を操作して物品Ｓの出し入れを制御する。なお、物品出し入れ管理部１５において、収集された各部からの出力情報はタイムスタンプを付けて蓄積記録される。
【００２４】
蓄積記録されるのは、以下の各情報である。
１．記録番号（年、月、日、当日の一連番号：２００９／１０／１１／００１２）
２．操作開始時刻（取扱者Ｏの認証開始）
３．操作終了時刻（取扱者Ｏの認証終了）
４．取扱者Ｏ名
５．物品ＳのＩＤ番号
６．物品出し入れ区分（取り出し：“０”、戻し入れ：“１”）
７．出し入れ区画（収容区画１０ａ）番号
８．異常操作履歴
９．偽造防止付き二次元コードシートＣ撮影画像情報
１０．物品Ｓの移動状況の動画像情報（記録番号を付与した動画を、動画専用記憶領域に記録することも可能）
【００２５】
また、物品出し入れ管理部１５は、保管箱１０に収容されている各物品Ｓについて、それぞれのＩＤ番号と収容位置（収容区画１０ａの番号）を記憶すると共に、物品出し入れ操作におけるシーケンス違反及び論理矛盾による異常の発生を監視し、異常の発生を検知した場合には警報部（図示しない）により警報（アラーム）を発する。ここで、シーケンス違反とは、取扱者ＯがＩＤ認証をすることなく物品Ｓを保管箱１０に戻したり、予め設定された順序とは異なる順序で一連の物品出し入れ操作が行われたこと等であり、論理矛盾とは、物品Ｓの取り出し位置によって記憶されていた物品ＩＤと、物品ＩＤ認識部１２での認証物品ＩＤとが異なること等である。
【００２６】
また、物品出し入れ管理部１５は、検索出力機能を有し、異常が発生したときは、物品ＳのＩＤ番号、期間（記録番号（年、月、日）、上記１．参照）、取扱者Ｏの氏名（上記４．参照）をキー項目にして、該当するデータを抽出出力する。そして、不審操作自動警告機能により、物品Ｓの持ち出し時間が予め設定した保管箱１０からの持ち出し可能時間を超えた場合は、警報部により警報を発する。
【００２７】
また、物品出し入れ管理部１５は、物品Ｓが、コンピュータシステムとオンライン接続された業務システムで使用される磁気記録媒体であることに対応して、業務システムからの使用情報に基づき磁気記録媒体の使用状況を記録する業務使用記録部（記録手段）１５ｄを備えている（図２参照）。この場合、物品出し入れ管理部１５と磁気テープを使用する業務システムとをオンライン接続し、業務システムでの使用時刻情報と保管箱１０からの出し入れ時刻情報とを比較して、必要以上に保管箱１０からの取り出し時間が長いものについて警報部により警報を発する。
【００２８】
また、物品出し入れ管理部１５は、携帯電話端末との通信機能及び通信情報蓄積機能と共に、偽造防止付き二次元コードシートＣを携帯電話端末で撮影した画像或いは携帯電話端末で読み取った偽造防止付き二次元コードシートＣの二次元コード情報、及び携帯電話端末が有するＧＰＳ（Ｇｌｏｂａｌ  Ｐｏｓｉｔｉｏｎｉｎｇ  Ｓｙｓｔｅｍ）情報を受信する携帯電話端末通信部（通信手段）１５ｅを備えている（図２参照）。
【００２９】
次に、図１の物品出し入れ管理システムを用いて行われる、この発明に係る物品出し入れ管理方法について説明する。
保管箱１０に収容保管されている物品Ｓの保管箱１０からの取り出し時或いは保管箱１０への戻し入れ時、物品Ｓの取扱者Ｏが取扱者生体認証部１３に指をかざすと、物品出し入れ管理システムが作動し、取扱者生体認証部１３による取扱者Ｏの指紋や静脈等の生体情報に基づいて生体認証が行われる。
【００３０】
先ず、物品Ｓの保管箱１０からの取り出し処理について説明する。
図４は、この発明に係る物品出し入れ管理方法による物品取り出し時における処理手順を示す説明図（その１）であり、図５は、この発明に係る物品出し入れ管理方法による物品取り出し時における処理手順を示す説明図（その２）である。
【００３１】
図４及び図５に示すように、物品Ｓの保管箱１０からの取り出しを行う場合、物品出し入れ管理部１５において物品取り出し処理が実行され、先ず、取扱者生体認証部１３による認証操作が開始される（ステップＳ１０１）。物品Ｓの取扱者Ｏの生体認証の結果、取扱者Ｏの正当性が承認されると、取扱者生体認証部１３から物品出し入れ管理部１５へ正当性承認情報が出力される（ステップＳ１０２）。なお、取扱者Ｏの生体認証の結果、取扱者Ｏの正当性が承認されない（不承認）場合、物品出し入れ管理システムは作動を停止する。
【００３２】
取扱者生体認証部１３からの正当性承認情報の入力により、物品出し入れ管理部１５は動画像撮影カメラ１４に対し動画像撮影開始指令を出力し、動画像撮影開始指令が入力した動画像撮影カメラ１４は、保管箱１０と物品ＩＤ認識部１２の間での物品Ｓの移動状況の動画像撮影を開始し記録する（ステップＳ１０３）。動画像撮影カメラ１４による撮影の開始により、物品出し入れ管理部１５は、物品出し入れ制限部１１を動作させて、物品Ｓの出し入れ制限状態にある保管箱１０の収容区画１０ａを開状態とし、保管箱１０に対する物品Ｓの出し入れ制限を解除する（ステップＳ１０４）。
【００３３】
保管箱１０に対する物品Ｓの出し入れ制限が解除されることにより、収容区画１０ａからの物品Ｓの取り出しが可能になり、取扱者Ｏが、収容区画１０ａから物品Ｓを取り出す（ステップＳ１０５）。取扱者Ｏが物品Ｓを取り出すと、保管箱１０の物品保管検知部は物品Ｓを検知せず、保管箱１０は、保管物品検知状態から収容区画１０ａに物品Ｓが存在しない保管物品非検知状態に変化し（ステップＳ１０６）、保管物非検知状態情報が物品出し入れ管理部１５へ出力される。
【００３４】
次に、収容区画１０ａから物品Ｓを取り出した取扱者Ｏは、物品ＩＤ認識部１２に物品Ｓに付与された偽造防止付き二次元コードシートＣをかざして、二次元コードに基づく物品ＳのＩＤ認識操作を行い（ステップＳ１０７）、物品ＳのＩＤを認識すると、物品ＩＤ認識部１２によってホログラムシートが撮影され偽造確認が行われる（ステップＳ１０８）。物品ＳのＩＤ認識結果情報及びホログラムシート撮影結果情報は、物品ＩＤ認識部１２から物品出し入れ管理部１５へ出力される。
【００３５】
なお、複数の物品Ｓを保管箱１０から取り出す場合は、物品Ｓを取り出した（ステップＳ１０５）後から、物品ＳのＩＤ認識操作（ステップＳ１０７）及びホログラムシート撮影（ステップＳ１０８）迄の処理を、それぞれの物品Ｓについて繰り返す（ステップＳ１０９）。
【００３６】
そして、物品ＳのＩＤ認識操作及びホログラムシート撮影後、取扱者生体認証部１３による生体認証操作を終了する（ステップＳ１０９）。生体認証操作の終了により、物品出し入れ管理部１５は、物品出し入れ制限部１１を動作させ収容区画１０ａの開口を閉状態として、保管箱１０に対する物品Ｓの出し入れ制限状態へと復帰し（ステップＳ１１０）、更に、動画像撮影カメラ１４による動画像撮影を停止する（ステップＳ１１１）。その後、物品出し入れ管理部１５において物品取り出し処理を終了する。
【００３７】
続いて、物品Ｓの保管箱１０への戻し入れ処理について説明する。
図６は、この発明に係る物品出し入れ管理方法による物品戻し入れ時における処理手順を示す説明図（その１）であり、図７は、この発明に係る物品出し入れ管理方法による物品戻し入れ時における処理手順を示す説明図（その２）である。
【００３８】
図６及び図７に示すように、物品Ｓの保管箱１０への戻し入れを行う場合、物品出し入れ管理部１５において物品戻し入れ処理が実行され、先ず、取扱者生体認証部１３による認証操作が開始される（ステップＳ２０１）。物品Ｓの取扱者Ｏの生体認証の結果、取扱者Ｏの正当性が承認されると、取扱者生体認証部１３から物品出し入れ管理部１５へ正当性承認情報が出力される（ステップＳ２０２）。なお、取扱者Ｏの生体認証の結果、取扱者Ｏの正当性が承認されない（不承認）場合、物品出し入れ管理システムは作動を停止する。
【００３９】
取扱者生体認証部１３からの正当性承認情報の入力により、物品出し入れ管理部１５は動画像撮影カメラ１４に対し動画像撮影開始指令を出力し、動画像撮影開始指令が入力した動画像撮影カメラ１４は、保管箱１０と物品ＩＤ認識部１２の間での物品Ｓの移動状況の撮影を開始し動画像として記録する（ステップＳ２０３）。動画像撮影カメラ１４による撮影の開始により、物品出し入れ管理部１５は、物品出し入れ制限部１１を動作させて、物品Ｓの出し入れ制限状態にある保管箱１０の収容区画１０ａを開状態とし、保管箱１０に対する物品Ｓの出し入れ制限を解除する（ステップＳ２０４）。
【００４０】
次に、収容区画１０ａへ物品Ｓを戻し入れる取扱者Ｏは、物品ＩＤ認識部１２に物品Ｓに付与された偽造防止付き二次元コードシートＣをかざして、二次元コードに基づく物品ＳのＩＤ認識操作を行い（ステップＳ２０５）、物品ＳのＩＤを認識すると、物品ＩＤ認識部１２によってホログラムシートが撮影され偽造確認が行われる（ステップＳ２０６）。物品ＳのＩＤ認識結果情報及びホログラムシート撮影結果情報は、物品ＩＤ認識部１２から物品出し入れ管理部１５へ出力される。
【００４１】
物品ＳのＩＤ認識及びホログラムシート撮影処理の後、取扱者Ｏは、保管箱１０に対する物品Ｓの出し入れ制限が解除されて物品Ｓの戻し入れが可能になっている収容区画１０ａへ、物品Ｓを戻し入れる（ステップＳ２０７）。取扱者Ｏが保管箱１０へ物品Ｓを戻し入れると、保管箱１０の物品保管検知部は物品Ｓを検知し、保管箱１０は、保管物品非検知状態から収容区画１０ａに物品Ｓが存在する保管物品検知状態に変化し（ステップＳ２０８）、検知状態情報が物品出し入れ管理部１５へ出力される。
【００４２】
複数の物品Ｓを保管箱１０へ戻し入れる場合は、物品ＳのＩＤ認識操作（ステップＳ２０５）及びホログラムシート撮影（ステップＳ２０６）後から、収容区画１０ａに物品Ｓが存在する保管物品検知状態へと変化する（ステップＳ２０８）迄の処理を、それぞれの物品Ｓについて繰り返す。
【００４３】
そして、収容区画１０ａに物品Ｓが存在する検知状態となった後、取扱者生体認証部１３による生体認証操作を終了する（ステップＳ２０９）。生体認証操作の終了により、物品出し入れ管理部１５は、物品出し入れ制限部１１を動作させ収容区画１０ａの開口を閉状態として、保管箱１０に対する物品Ｓの出し入れ制限状態へと復帰し（ステップＳ２１０）、更に、動画像撮影カメラ１４による動画像撮影を停止する（ステップＳ２１１）。その後、物品出し入れ管理部１５において物品戻し入れ処理を終了する。
【００４４】
上述したように、この発明に係る物品出し入れ管理システムにおいて管理対象となる物品Ｓには、複写機等により複製することが可能な二次元コードの偽造を検出するため、二次元コードシートにコード偽造識別シート（ホログラムシート）が添付された偽造防止付き二次元コードシートＣが付与されている。従って、物品ＩＤ認証時に、偽造防止付き二次元コードシートＣを撮影して保存することにより、例えば、悪意者により偽造された二次元コードシートを添付した偽物の物品を認証して戻すことによるすり替えが行われた場合でも、偽造識別シート画像が記録されるため、後にコード偽造が発覚したときに保存したコード偽造判別シートをチェックして、物品Ｓの不正取扱者の特定を容易に行うことができる。
【００４５】
また、複写のホログラム部分に上から同じホログラムシートを貼るといった不正を行った場合にも不正を確認することができるように、真正のホログラムシートに模倣不可能なサイン等の印を付けても良いし、ホログラムの模様が不規則でホログラムシート単位にユニークな物でも良い。
また、物品Ｓの認証と保管箱１０に対する出し入れの間を動画で撮影し物品Ｓの移動状況を動画で記録することにより、その間での物品Ｓのすり替えがあった場合でもすり替えの確認が可能なので、結果的に、すり替えを防止することができる。例えば、物品Ｓの移動状況の動画映像をコンピュータで解析して、物品Ｓの動きが不自然なものについて移動動作が異常であると自動的に判定する機能を持たせることにより、すり替え等の不正操作の検出を容易にすることができる。
【００４６】
また、物品Ｓが磁気テープであって、外部への持ち出しと不正な複写による情報流出が発生した場合、流出した情報が記録されていた磁気テープのＩＤ番号により、物品出し入れ管理部１５に記録されている、該当する磁気テープとその取り扱い履歴を検索して抽出し、二次元コードシートの真性確認、動画再生によるすり替えチェックを一件毎に行った上で、取り出し時間と戻し入れ時間を当該磁気テープの業務システムでの使用履歴と付き合わせることにより、不審な取り扱いについての洗い出しを行うことができる。
【００４７】
このように、この発明に係る物品出し入れ管理方法及びシステムにより、物品出し入れ管理を行う際に、設備コストの上昇を抑えると共に、偽造された認識装置を使用した物品の出し入れを防止することができる。
【産業上の利用可能性】
【００４８】
この発明によれば、保管手段に、管理対象物の取り出し或いは戻し入れを所定条件のもと制限する出し入れ制限手段が備えられ、管理対象物が保管手段に存在するのを検知し、管理対象物の保管手段からの取り出し毎或いは保管手段への戻し入れ毎に偽造防止付き識別標識が読み取られ、且つ、撮影され、管理対象物の取り出し或いは戻し入れを行う取扱者の生体情報が読み取られ、取扱者が正当取扱者であることを確認する生体認証が行われ、保管手段と認識手段の間での管理対象物の移動状況が動画像として撮影されるので、物品出し入れ管理を行う際に、設備コストの上昇を抑えると共に、偽造された認識装置を使用した物品の出し入れを防止することができる物品出し入れ管理方法及びシステムとして最適である。
【符号の説明】
【００４９】
１０  保管箱
１０ａ  収容区画
１１  物品出し入れ制限部
１１ａ  棒部材
１１ｂ  板部材
１２  物品ＩＤ認識部
１３  取扱者生体認証部
１４  動画像撮影カメラ
１５  物品出し入れ管理装置
１５ａ  登録情報データベース
１５ｂ  プログラム格納部
１５ｃ  演算処理部
１５ｄ  業務使用記録部
１５ｅ  携帯電話端末通信部
Ｃ  偽造防止付き二次元コードシート
Ｃ１  二次元コードシート
Ｃ２  ホログラムシート
Ｏ  取扱者
Ｓ  物品
【図１】
2011098831.tif 000003
【図２】
2011098831.tif 000004
【図３】
2011098831.tif 000005
【図４】
2011098831.tif 000006
【図５】
2011098831.tif 000007
【図６】
2011098831.tif 000008
【図７】
2011098831.tif 000009